(57)【要約】  有効な照明光を低下させることなく照明系を小型化し、投射系と小型に組み合わせることで、光源への電力供給を抑えながらも、高輝度の画像を表示する高効率で小型の虚像投射装置を提供する。  映像を人の眼に見せる虚像投射装置であって、所定の角度分布の光を出射する仮想光源面（１１６）と、仮想光源面（１１６）からの光を集光する結像レンズ（１１７）と、映像を生成する表示器（１２０）と、を備え、結像レンズ（１１７）の前側の略焦点位置に仮想光源面（１１６）を配置した場合、結像レンズの後側の略焦点位置に表示器（１２０）を配置する。
2019107044.tif 000002
【特許請求の範囲】
【請求項１】
映像を人の眼に見せる虚像投射装置であって、  所定の角度分布の光を出射する仮想光源面と、  前記仮想光源面からの光を集光する結像レンズと、  映像を生成する表示器と、を備え、  前記結像レンズの前側の略焦点位置に前記仮想光源面を配置した場合、前記結像レンズの後側の略焦点位置に表示器を配置することを特徴とする虚像投射装置。
【請求項２】
請求項１記載の虚像投射装置であって、  前記仮想光源面のサイズは、前記結像レンズの直径よりも小さいことを特徴とする虚像投射装置。
【請求項３】
請求項２記載の虚像投射装置であって、  前記表示器へ入射する光を取り込む前記結像レンズのＦ値と、前記仮想光源面から出射する光を取り込むＦ値が略一致することを特徴とする虚像投射装置。
【請求項４】
請求項３記載の虚像投射装置であって、  前記表示器の映像表示領域は長方形であり、前記仮想光源面は略正方形とすることを特徴とする虚像投射装置。
【請求項５】
請求項４記載の虚像投射装置であって、  前記表示器で生成された映像を人の眼に伝達する虚像投射器を備え、  前記表示器から出射する光を取り込む前記虚像投射器のＦ値は、前記仮想光源面から出射する光を取り込む前記結像レンズのＦ値と略一致することを特徴とする虚像投射装置。
【請求項６】
請求項５記載の虚像投射装置であって、  光を出射する光源と、  該光源から出射する光を略平行に変換する集光レンズと、を備え、  前記仮想光源面は、前記集光レンズから出射した光を拡散またはレンズアレイにより光の角度を変換する機能を有することを特徴とする虚像投射装置。
【請求項７】
請求項６に記載の虚像投射装置であって、  前記光源から出射した光を取り込む前記集光レンズのＦ値は、前記虚像投射器のＦ値と略一致することを特徴とする虚像投射装置。
【請求項８】
請求項１に記載の虚像投射装置であって、  前記結像レンズは、内面反射を利用して光を折り曲げる反射面を有し、  前記仮想光源面から出射した光は、前記結像レンズの反射面で反射した後に前記表示器に入射させる構成とすることを特徴とする虚像投射装置。
【請求項９】
請求項８に記載の虚像投射装置であって、  前記結像レンズは、前記仮想光源面から出射する光が入射する入射面と、前記表示器へ光を出射する出射面とを備え、  前記結像レンズの前記入射面と前記出射面とで形成される角度が９０度よりも小さいことを特徴とする虚像投射装置。
【請求項１０】
請求項８に記載の虚像投射装置であって、  前記結像レンズは、前記仮想光源面から出射する光が入射する入射面と、前記表示器へ光を出射する出射面とを備え、  前記出射面に非球面レンズを備えていることを特徴とする虚像投射装置。
【請求項１１】
請求項９または１０に記載の虚像投射装置であって、  前記結像レンズは、透明な素材で一体成型されていることを特徴とする虚像投射装置。
【請求項１２】
請求項８記載の虚像投射装置であって、  前記表示器の映像表示領域は長方形であり、  前記結像レンズの前記反射面は、前記映像表示領域の短手方向に光を折り曲げる機能を有していることを特徴とする虚像投射装置。
【請求項１３】
請求項１２に記載の虚像投射装置であって、  前記結像レンズの前記反射面の反射前後の光軸を含む平面に対して映像表示領域の短手方向が平行であることを特徴とする虚像投射装置。
【請求項１４】
請求項１に記載の虚像投射装置であって、  前記表示器で生成された画像を映像光として投射する投射部と、  前記投射部から投射された映像光を結合するプリズムである映像光結合部と、  前記映像光結合部から出射した映像光を利用者の目に導光する導光部と、  を備え、  前記導光部の入射面の法線と、前記投射部の光軸が傾斜し、前記映像光結合部の頂角が前記の傾斜角と略一致することを特徴とする特徴とする虚像投射装置。
【発明の詳細な説明】
【技術分野】
【０００１】  本発明は、ヘッドマウントディスプレイ等の虚像投射装置に関する。
【背景技術】
【０００２】  従来から、利用者が自身の頭部に装着して利用するヘッドマウントディスプレイ（Ｈｅａｄ  Ｍｏｕｎｔｅｄ  Ｄｉｓｐｌａｙ、以下ではＨＭＤと省略する）と呼ばれる虚像投射装置が知られている。利用者は、ＨＭＤが表示する動画や静止画の虚像を視覚により認識することにより、様々な情報を取得することができる。【０００３】  ＨＭＤを様々な環境下で使用可能とするため、ＨＭＤを携帯したいという要望がある。ＨＭＤを携帯するためには、ＨＭＤが小型でなければならない。また、携帯して駆動するためには、電池を搭載して利用する形態が考えられる。画像の輝度を明るく、駆動時間を長くするためには、電池の放電容量を大きくする必要がある。特に両眼式ＨＭＤでは、左右のそれぞれの目に表示する画像を、同時に光源を点灯させて生成すると、光源の消費電力が大きくなる。大きな消費電力に耐え、放電容量が大きい電池は大型になり、ＨＭＤも大型化してしまう。【０００４】  これに関し特許文献１には、映像光をプリズム形の部材で導光させて中間像を生成することにより、光学系全体を小型にすることが可能な虚像表示装置が開示されている。
【先行技術文献】
【特許文献】
【０００５】
【特許文献１】特開２０１４−１７４４２９号公報
【発明の概要】
【発明が解決しようとする課題】
【０００６】  ＨＭＤが画像を表示するためには、ＨＭＤが備えている光源の発光で表示器に照明し、表示器により生成された映像光を投射系によって虚像を生成する機能を有する光学系が必要である。光源からの光は、照明系によって表示器に導かれるが、単位当たりの光源の発光に対して明るい映像を提供するためには、高効率な照明系が必要である。さらに、表示器で生成された映像光を利用者の目に入射させて映像を認識させるには、映像光を網膜上で結像する光束に変換する投射系が必要である。高効率なＨＭＤを実現しようとすると、照明系の効率を高める必要があり、その結果照明系は大型化してしまう傾向にある。また、ＨＭＤの光学系を小型にするためには、照明系と投射系を組み合わせるための空間を小さくしなくてはならない。【０００７】  特許文献１に記載の虚像表示装置では、映像光を導光部材内部で反射させ中間像を生成する構成となっている。これによれば、光学系全体を小型で軽量なものにしつつ、広画角で明るい表示を実現できるとある。しかし、導光部材は透明材質でできた曲面を持つ塊であるため、重量が増すという課題がある。【０００８】  本発明の目的は、虚像投射装置において、光学系の輝度効率を低下させることなく、高効率で小型の虚像投射装置を提供することにある。
【課題を解決するための手段】
【０００９】  本発明は、映像を人の眼に見せる虚像投射装置であって、所定の角度分布の光を出射する仮想光源面と、前記仮想光源面からの光を集光する結像レンズと、映像を生成する表示器と、を備え、前記結像レンズの前側の略焦点位置に前記仮想光源面を配置した場合、前記結像レンズの後側の略焦点位置に表示器を配置することを特徴とする。
【発明の効果】
【００１０】  本発明によれば、有効な照明光を低下させることなく照明系を小型化し、投射系と小型に組み合わせることで、光源への電力供給を抑えながらも、高輝度の画像を表示する高効率で小型の虚像投射装置を提供することができる。
【図面の簡単な説明】
【００１１】
【図１Ａ】利用者３の頭に搭載されるＨＭＤ１の概略構成を示す図。
【図１Ｂ】ＨＭＤ１の正面を示す図（実施例１）。
【図１Ｃ】ＨＭＤ１の上面を示す図。
【図２】映像表示部１０の構成の一例を示す図。
【図３Ａ】映像表示部１０の構成の一例を示す正面図。
【図３Ｂ】映像表示部１０の構成の一例を示す上面図。
【図４】色合成部１１５の構成の一例を示す図。
【図５】マルチレンズアレイ１１６の機能を示す図。
【図６】仮想光源と結像レンズ１１７の位置関係の説明図。
【図７】仮想光源と結像レンズ１１７が近接したケースを示す図。
【図８】仮想光源と結像レンズ１１７の位置関係の説明図。
【図９Ａ】結像レンズ１１７の構成の一例を示す図（実施例２）。
【図９Ｂ】結像レンズ１１７の構成の一例を示す図。
【図１０】結像レンズ１１７の構成の一例を示す図。
【図１１】プリズム付き結像レンズ１１８の構成の一例を示す図（実施例３）。
【図１２】表示器１２０の配置構成の変形例を示す図（実施例４）。
【図１３】表示器１２０の配置構成の変形例を示す図。
【図１４】映像光結合部１５の変形例を示す図（実施例５）。
【発明を実施するための形態】
【００１２】  以下、本発明の実施形態について、図面を用いて詳細に説明する。以下の説明では、虚像投射装置としてヘッドマウントディスプレイ（ＨＭＤ）を取り上げているが、利用者が視認できる虚像を表示する装置であれば、本発明の範囲に含まれる。
【実施例１】
【００１３】  図１Ａ〜図１Ｃは、両眼式ＨＭＤの使用形態と概略構成を示す図である。図１Ａは、両眼式ＨＭＤ１の概略構成を示す。利用者３は、両眼式ＨＭＤ１を自身の頭部に装着して、両眼式ＨＭＤ１が表示する左右の画像を視覚により認識する。【００１４】  図１Ｂは、実施例１のＨＭＤ１の正面を示す図である。利用者３が装着する側から見た図である。両眼式ＨＭＤ１は、右目用映像表示部１０Ｒと左目用映像表示部１０Ｌ、右目用導光部１１Ｒと左目用導光部１１Ｌ、及び保持部１９を備えている。右目用映像表示部１０Ｒは、照明部１３Ｒと投射部１４Ｒを、左目用映像表示部１０Ｌは、照明部１３Ｌと投射部１４Ｌをそれぞれ備えている。右目用映像表示部１０Ｒ、左目用映像表示部１０Ｌと右目用導光部１１Ｒ、左目用導光部１１Ｌは、それぞれ右目用映像光結合部１５Ｒ、左目用映像光結合部１５Ｌを備えている。保持部１９は、両眼式ＨＭＤ１の構成部品の全てまたは一部を保持するための筐体である。利用者３は、少なくとも保持部１９を含む装置を頭部に装着して両眼式ＨＭＤ１を使用する。【００１５】  図１Ｃは、実施例１のＨＭＤ１の上面を示す図である。右目用映像表示部１０Ｒ及び前記左目用映像表示部１０Ｌは、それぞれ右目用及び左目用の画像を生成し、映像光１２Ｒ及び映像光１２Ｌを出射する。照明部１３Ｒ、及び照明部１３Ｌから照明された照明光が、投射部１４Ｒ、及び１４Ｌを経由し、出射された映像光１２Ｒ及び映像光１２Ｌは、それぞれ右目用導光部１１Ｒ及び左目用導光部１１Ｌにより、利用者３の右目及び利用者３の左目まで導光される。利用者３の右目及び利用者３の左目まで導光された映像光１２Ｒ及び映像光１２Ｌの一部または全部が、図示しない利用者３の網膜まで到達する。【００１６】  以下では、右目用映像表示部１０Ｒ及び左目用映像表示部１０Ｌ、右目用導光部１１Ｒ及び左目用導光部１１Ｌ、映像光１２Ｒ及び映像光１２Ｌ、照明部１３Ｒ及び照明部１３Ｌ、投射部１４Ｒ及び投射部１４Ｌ、映像光結合部１５Ｒ及び映像光結合部１５Ｌについては、左右の区別する必要がない場合は、まとめて映像表示部１０、導光部１１、映像光１２、照明部１３、投射部１４、映像光結合部１５と記載する。【００１７】  図２は、映像表示部１０の構成の一例を示す図である。映像表示部１０は、光源部１１０と、集光レンズ１１４と、色合成部１１５と、マルチレンズアレイ１１６と、結像レンズ１１７と、プリズム付き結像レンズ１１８と、反射部１１９と、表示器１２０と、虚像投射器１３０と、を備えている。【００１８】  光源部１１０は、映像表示部１０が画像を生成する為の光を出射する。光源部１１０は、赤色（Ｒ）の光を出射する光源と、緑色（Ｇ）の光を出射する光源と、青色（Ｂ）の光を出射する光源とを備えている。これらを順に周期的に点灯させ、フィールドシーケンシャル方式でフルカラーの画像を表示する。光源部１１０から出射した光は、集光レンズ１１４に入射する。【００１９】  集光レンズ１１４は、光源部１１０から出射した光束を略平行光（以下、コリメート光と呼ぶ。）にする。【００２０】  色合成部１１５は、光源部１１０が出射する光束の波長によって、選択的に反射、透過させることによって各色の��束を合成することで、フルカラーの映像光１２を提供するための照明光を生成する。【００２１】  マルチレンズアレイ１１６は、入射面と出射面に対向したレンズを複数備えている。入射面に備えられたレンズは、入射した略コリメート光を出射面に備えているレンズに向かって集光する。一方、マルチレンズアレイ１１６の出射面に備えられたレンズは、それぞれ対向する入射面に備えられたレンズの開口形状に対応した配光分布で出射する。【００２２】  結像レンズ１１７は、マルチレンズアレイ１１６が出射する光束を表示器１２０に向かって結像させる。結像されるのは、マルチレンズアレイ１１６の入射面に備えられたそれぞれのレンズの開口の像を重ね合わせたものになる。マルチレンズアレイ１１６が備える開口を照明する光の強度分布は一様ではないが、後段の結像レンズ１１７などによって重ね合わせられるため、均一な強度分布を持つ照明光を提供できる。すなわち、輝度ムラを抑えた映像を提供できる利点がある。【００２３】  プリズム付き結像レンズ１１８は結像レンズ１１７の出射光の進行方向を変更する。出射光の進行方向を変更することにより、照明部１３と投射部１４の配列を一直線以外の、折り曲がった形状として、デザインの自由度が上がる利点がある。【００２４】  反射部１１９は、反射するだけでなく、入射光を少なくとも１度反射するように構成され、偏光の向きによっては光を透過させてもよい。表示器１２０に偏光を利用して映像を生成する液晶パネルなどを利用する場合に、映像となる有効光と不要光を分離して映像光１２を生成することができる。利用する表示器１２０が透過型液晶パネルのように表示器１２０の透過光が映像光１２になる場合には、反射部１１９に透過しない光学部材を利用しても良い。【００２５】  表示器１２０は例えば反射型ＬＣＯＳ（Ｌｉｑｕｉｄ  Ｃｒｙｓｔａｌ  Ｏｎ  Ｓｉｌｉｃｏｎ）を備え、映像信号に基づいて、光源部１１０から入射した光を変調して画像を生成する。ただし、フィールドシーケンシャル方式の場合には、表示器１２０には色を変換するフィルタ等を備えておらず、入射した光と略同じ色の画像を生成する。表示器１２０で生成した画像の光は映像光１２となり、虚像投射器１３０に入射する。【００２６】  虚像投射器１３０は、表示器１２０の像を投射する。表示器１２０の像を利用者３から所望の距離に存在しているように網膜に結像するためには、虚像投射器１３０は映像表示部１０の像を虚像として提供する。表示器１２０は、虚像として提供するためには、このようにして生成された映像光１２は、映像光結合部１５を介して導光部１１へ向かう。【００２７】  映像光結合部１５は、虚像投射器１３０が投射する映像光１２を入射させたのち、映像光結合部１５が備える平面で内面反射させ、導光部１１に対して略垂直な方向に映像光１２を出射する。映像光結合部１５は、該反射面では全反射を用いてもよいし、内部を通過する映像光１２が反射面の法線に対して臨界角よりも小さい角度で入射する場合には、漏洩による損失を防ぐためにミラーコートをしても良い。全反射面を利用できれば、ミラーコートによるコスト増加を回避可能で、低コストで高効率に映像光１２を伝播できる。ミラーコートを利用すれば、映像光結合部１５の屈折率で決定される臨界角の制約を受けず、保持部１９のデザインの自由度が向上する利点がある。【００２８】  導光部１１は、表示器１２０が生成した映像光１２を虚像投射器１３０から取り込み、内部反射させて、利用者３の目前にまで導く。そして導光部１１の目に対向している領域から映像光１２を出射して、利用者３の網膜に映像光１２を結像させる。前記構成であれば、虚像投射器１３０と利用者３の目の位置関係の制約が緩和され、虚像投射装置の配置を自由に設定することができるし、利用者３の目と虚像投射器１３０の瞳がずれて映像の一部、または全部が欠けてしまう状況を回避することができるため、利用者３にとって見えやすい虚像を提供できる利点がある。導光部１１の内部面反射には、回折現象を利用したホログラム、鏡面反射するミラー、入射した光束を透過光と反射光に分離するハーフミラー、全反射を利用することができる。【００２９】  以上述べた光学部品のうち、照明部１３は、光源部１１０、集光レンズ１１４、色合成部１１５、マルチレンズアレイ１１６、結像レンズ１１７、プリズム付き結像レンズ１１８、反射部１１９から構成される。表示器１２０を照明できるのであれば、一部の部品が省略されていても良い。【００３０】  投射部１４は、虚像投射器１３０から、表示器１２０の間に存在する光学部品で構成される。例えば、表示器１２０が生成した映像光１２を反射部１１９が透過するのであれば、反射部１１９の透過特性、及び屈折を考慮して投射部１４を構成する。虚像投射器１３０のバックフォーカス位置は、反射部１１９の屈折、及び映像光１２が反射部１１９の内部を透過する距離によって伸びる。投射部１４のバックフォーカスは、虚像投射器１３０のバックフォーカス位置よりも伸びるため、その伸びた距離を補正するように投射部１４を配置しなければならない。また、照明部１３、投射部１４を別体にした場合には相対的な配置に自由度があるため、照明部１３を構成する光学部品の配置ズレなどによる光学性能のばらつきと、投射部１４を構成する光学部品の配置ズレなどによる光学性能のばらつきとを映像表示部１０を組み立てる際に最適化する余地ができる。さらに、それぞれを独立して扱えるため、照明部１３、投射部１４を組み立てる際に、それぞれを構成する光学部品の調整が容易になる。したがって、照明部１３と投射部１４が別体で構成されると、組み立て時に調整して高性能な映像表示部１０を提供することが容易になる。【００３１】  図３Ａと図３Ｂは、映像表示部１０の構成例を示す図であり、図３Ａは正面図、図３Ｂは上面図を示す。映像表示部１０にカラー映像を提供させるため、光源部１１０は３色に発光するために１１０Ｇ、１１０ＲＢを備えている。【００３２】  光源部１１０Ｇは緑色の光（Ｇ光）を出射し、光源部１１０ＲＢは赤色と青色の光（Ｒ光とＢ光）を出射する。光源部１１０ＲＢは、光源部１１０Ｒと光源部１１０Ｂが同一パッケージに実装されている。図３Ａ，３Ｂでは、２色が同一のパッケージに実装されている光源部１１０ＲＢを例として示しているが、３個の光源は各々が独立したパッケージ内に実装されていても良いし、２個以上の光源が１つのパッケ��ジ内に集積して実装されていても良い。以下、「光源部」を単に「光源」とも呼ぶ。【００３３】  光源１１０ＲＢ、１１０Ｇのいずれかから出射した光は、集光レンズ１１４に入射する。集光レンズ１１４は、その略合成焦点位置に各光源部１１０が位置する関係で配置されている。光源部１１０から出射した光束は、集光レンズ１１４に入射してコリメート光となる。各光源部１１０からのコリメート光は、色合成部１１５に向かって出射する。【００３４】  図３Ｂでは、色合成部１１５に楔形のダイクロイックミラーを用いた例を示している。ダイクロイックミラーは、Ｒ光とＢ光とＧ光の光軸を揃えて合成し、各色のコリメート光を合成して出射する。【００３５】  マルチレンズアレイ１１６は、色合成部１１５から出射した略コリメート光束を受光する。略コリメート光は集光レンズ１１４で生成されていて、光源部１１０の発光領域に応じた光の広がりを持つコリメート光束になっている。これをマルチレンズアレイ１１６の入射側に備えられたレンズで集光すると、マルチレンズアレイ１１６の出射側のレンズ上に光源部１１０の像を結像する。マルチレンズアレイの出射側に備えられたレンズは、マルチレンズアレイの入射側に備えられたレンズの開口形状に応じた配光分布の光束を出射する。【００３６】  マルチレンズアレイから出射した光束は、結像レンズ１１７に入射する。結像レンズ１１７は、コリメート光を集光しながらプリズム付き結像レンズ１１８に向かって出射する。【００３７】  プリズム付き結像レンズ１１８は、透明材質で構成され、入射面と反射面と出射面を有する光学材である。図３Ａに示したように、プリズム付き結像レンズ１１８は、結像レンズ１１７の光軸に対して傾斜した入射面と、平面の反射面と、出射面にレンズを備えている。これらは一体成型されていて、レンズは非球面レンズとして収差を補正するよう構成されていてもよい。結像レンズ１１７とプリズム付き結像レンズ１１８によって、マルチレンズアレイ１１６から出射したコリメート光を集光しながら進路を略直角に曲げる。【００３８】  反射部１１９は、偏光選択性の反射性能を有する。例えば、Ｓ偏光は反射するがＰ偏光は透過する。図３Ａでは、プリズム付き結像レンズ１１８から出射した光束のうち、Ｓ偏光が反射をして表示器１２０を照明する。その照明光は、マルチレンズアレイ１１６の入射側に備えられたレンズセルの開口形状の略相似形となる。【００３９】  図３Ａに示した表示器１２０は、反射型ＬＣＯＳの例を示している。本構成では、反射部１１９から表示器１２０に入射する照明光はＳ偏光である。映像信号に応じて入射した照明光の偏光を空間的に変調し、映像として有効な画素として明るく光らせるには偏光を回してＰ偏光とする。反射部１１９のＰ偏光を透過させる偏光選択性を利用して、映像光１２を虚像投射器１３０に向かって透過させる。反射部１１９の表面に微細な凹凸やゆがみがあった場合、映像光１２が透過する際に微細な凹凸面で屈折して、映像が乱れる原因となりうる。しかし、反射であれば反射部１１９の面の乱れ、例えば１°の傾斜を持っているとした場合、反射した光は２°ずれてしまうが、透過する場合の屈折の乱れはそれよりも小さい。照明光��使用上、ゆがんでも映像光１２を生成する前であり、利用者３の目に届くものではないため、視覚的には影響が少ない。しかし、映像光１２がゆがむと、利用者３の目にそのゆがみが映像のゆがみとして見えてしまう可能性がある。したがって、反射部１１９に対して、映像光１２が透過する方式で映像を生成した方が、高画質にできる利点がある。【００４０】  表示器１２０は、当然ながら映像光１２に対して映像信号の強度によって偏向度合いを調整し、階調をつけることが可能である。反射部１１９を透過した映像光１２は、虚像投射器１３０に入射する。虚像投射器１３０は、少なくとも１枚以上のレンズで構成される。虚像投射器１３０は、表示器１２０上の空間的な光強度の強弱を、配光分布に変換させる光学的特性を有する。虚像光学系を構成するには、虚像投射器１３０の焦点位置よりも表示器１２０が内側に存在する。例えば、無限遠に虚像を結像させるには、虚像投射器１３０の焦点位置と一致させる。また、出射する映像光１２の画角は、表示器１２０の大きさと虚像投射器１３０の焦点距離で定まる。虚像投射器１３０の焦点距離が短いほど、また表示器１２０が大きいほど、画角が大きくなる。【００４１】  映像光結合部１５は、プリズムで構成される。プリズムであれば、ミラー反射で折り返すよりも光路長を維持したまま物理的距離を短くすることができるため、小型に構成できる利点がある。また、導光部１１と虚像投射器１３０の傾斜角に応じて定まる。映像光結合部１５の反射面は、鏡面仕上げされた全反射面で反射させると光学的損失がないため望ましい。しかしながら、画角が広い映像光１２を反射させる場合であって、全反射条件を満たさず漏洩する光束が発生する場合にはミラーコートを施しても良い。映像光結合部１５の形状が、映像光１２に対して、映像光結合部１５の入射面に対して垂直で入射し、出射面に対して垂直に出射させる形状であれば、出射後の映像光１２に色分離が発生せず高画質な映像表示部１０を提供できるため望ましい。前記条件を満たさない場合には、映像光結合部１５に用いた媒質の分散によって、入射時と出射時の波長による屈折角度の違いによって、映像光１２に色ずれが発生してしまう。映像光結合部１５は、二等辺三角形を断面とする柱形状であると製造が容易で安価に提供できる利点がある。【００４２】  導光部１１は、映像光結合部１５から出射した映像光１２を利用者３の目に対向する位置まで伝播する。導光部１１に入射した映像光１２は、導光部１１内部を伝播した後に出射するとき、その出射方向は維持されている必要がある。前記条件を満たす光学系として、例えば、少なくとも１つ以上のホログラム素子や、平行に構成される１枚以上のハーフミラーを備えた構成を用いることができる。また、導光部１１の入射面で、透過せず反射した映像光１２が存在すると、前記反射した映像光１２は投射部１４を逆行する。そして、いずれかの光学部品によって反射し、再び投射部１４を抜けて映像光１２に重畳して、映像品質を劣化させるゴースト像の原因となってしまう。これを防ぐために、導光部１１の入射部の手前に１／４波長板を備えてもよい。ゴーストとなりうる映像光１２が透過、反射したときに偏向を略９０度回��、偏光選択性を持つ反射部１１９で再び投射部１４に戻らないようにすることで、ゴースト像の発生を防ぐことができる。特に、導光部１１がホログラフィック面を備え、映像光１２をフレネル反射率よりも高い、例えば４％以上の反射率がある場合に大きな効果を奏する。このような構成であれば、ゴースト像の発生を抑えた高品質な虚像投射装置を提供できる。【００４３】  図４は、色合成部１１５を示す図である。色合成部１１５の作用について詳細を説明する。集光レンズ１１４は各光源部１１０の前方に配置されるレンズであって、光源部１１０からの出射光束をコリメートする機能を有する。１枚以上のレンズやミラーで構成されていてもよい。図４では、光源１１０Ｇに対応する集光レンズ１１４を集光レンズ１１４Ｇ、光源１１０ＲＢに対応する集光レンズ１１４を集光レンズ１１４ＲＢとして図示している。また、集光レンズ１１４がそれぞれ２枚で構成されている例を示している。【００４４】  図４では、色合成部１１５にダイクロイックミラーを利用した例を示している。色合成部１１５は、Ｇ光に対する入射面と出射面の傾斜角度が異なっているため、入射時と出射時で屈折角が違い、Ｇ光の入出射の過程で光軸１１４０Ｇの方向を変化させることができる。一方、光源１１０Ｒ、光源１１０Ｂの光軸について、ダイクロイックミラーの各面の光源１１０ＲＢに対向する面１１５Ｒと面１１５Ｂを利用して光軸を揃える機能を備える。面１１５ＲはＲ光を反射し、Ｒ光よりも短い波長の光であるＧ光とＢ光を透過する波長選択性を持つ。また面１１５Ｂは、Ｂ光よりも短い波長の光を反射して、Ｂ光よりも長い波長のＧ光やＲ光は透過する波長選択性を持つ。光源１１０ＲＢからのＲ光の光軸１１４０Ｒは、面１１５Ｒで反射してＧ光の光軸１１４０Ｇと一致する。Ｂ光の光軸１１４０Ｂは、面１１５Ｒで屈折して透過し、面１１５Ｂで反射して再度面１１５Ｒに入射する。空気中に出射する際には屈折してＧ光の光軸１１４０Ｇと一致する。その結果、３色の光の光軸は略一致して光軸１１４０ＲＧＢをなし、マルチレンズアレイ１１６に向かって出射する。【００４５】  前記の構成にするためには、図４の向きに見たとき、Ｒ光を発光する光源１１０Ｒが左、Ｂ光を発光する光源１１０Ｂが右側に配置され、集光レンズ１１４ＲＢを抜けた後に光軸１１４０Ｒと光軸１１４０Ｂが一度交差する位置よりも遠方に色合成部１１５が配置される。光軸１１４０Ｒ、光軸１１４０Ｂを含む平面を切断面とした色合成部１１５の断面が、光源１１０ＲＢ側に向かって細くなる楔形であり、光源１１０Ｒ側が光源１１０ＲＢから遠ざかる方向の傾斜となっている向きとする。そして、色合成部１１５の光源１１０ＲＢに対向する面の順番が、面１１５Ｂよりも面１１５Ｒが光源１１０ＲＢに近く配置されている姿勢で配置されていれば良い。光源１１０Ｇと集光レンズ１１４Ｇは、楔形の色合成部１１５を透過後の光軸を光軸１１４０ＲＧＢに揃えるために、色合成部１１５に対して時計回りに傾斜させる。すなわち、光源１１０ＲＢと光源１１０Ｇは、９０度よりも大きい角度で配置される。光源部１１０Ｇ、及び光源部１１０ＲＢからの発光光束は、集光レンズ１１４を通過してコリメート光となって出��され、色合成部１１５で合成されて光軸１１４０ＲＧＢに沿ったコリメート光となって、マルチレンズアレイ１１６に入射する。【００４６】  例えば、色合成部１１５は、頂角４．３９°の楔形形状を用いることができる。本形状であれば、３色の光を合成してあたかも一つの光源部１１０から出射しているかのように扱うことができる。【００４７】  図５では、マルチレンズアレイ１１６について詳細を説明する。マルチレンズアレイ１１６の入射側に備えられたレンズセル１１６ｉ（入射側レンズセル）は、光源部１１０の像をマルチレンズアレイ１１６の出射側に備えられたレンズセル１１６ｏ（出射側レンズセル）の開口に結像することが望ましい。これを実現するには、入射側レンズセル１１６ｉに入射する照明光のＦ値が、入射側レンズセル１１６ｉのＦ値よりも大きければよい。【００４８】  前記構成であれば、集光レンズ１１４と入射側レンズセル１１６ｉまでを含む光学系によって、出射側レンズセル１１６ｏの開口よりも小さく光源を結像することができる。すなわち、光源の発光領域よりも出射側レンズセル１１６ｏの開口が大きい場合、集光レンズ１１４の焦点距離に対して入射側レンズセル１１６ｉの焦点距離は短い。また、集光レンズ１１４から出射されるコリメート光が結像する位置は焦点位置であるため、マルチレンズアレイ１１６の厚さと入射側レンズセル１１６ｉの焦点距離は、略同一となる。一方、マルチレンズアレイ１１６の全体の有効開口は、集光レンズ１１４からの照明光を十分に受ければよい。したがって、マルチレンズアレイ１１６の開口を照明光が略円形で照明している場合には、例えば円形や、それに外接する略正方形としておくと、過不足なく照明光を入射させることができて高効率である。【００４９】  前記構成であれば、マルチレンズアレイ１１６への入射光は、対向する出射側レンズセル１１６ｏの開口内に収まるため、開口で損失することなく高効率で出射できる利点がある。【００５０】  出射側レンズセル１１６ｏは、入射側レンズセル１１６ｉの開口の形状を、配光分布に変換してコリメート光を出射する機能を有する。すなわち、出射側レンズセル１１６ｏの焦点位置は、入射側レンズセル１１６ｉに略一致している。また、焦点距離は、入射側レンズセル１１６ｉを二次光源とみなしたとき、結像レンズ１１７に向かう光束の広がり角から決定される。【００５１】  したがって、入射側レンズセル１１６ｉの焦点距離と、出射側レンズセル１１６ｏの焦点距離と、マルチレンズアレイ１１６の厚さは略同一となる。前記の条件から、マルチレンズアレイ１１６に入射する光束の入射光の発散角度θｉと出射光の発散角度θｏは等しくなる。図５には図示していないが、集光レンズ１１４が出射する光束の広がりが、入射光の発散角度θｉよりも小さい光束についても、損失なく出射側レンズセル１１６ｏから出射させることができるため、通過率が高い高効率な照明系を構成できる利点がある。【００５２】  図６、図７、図８では、マルチレンズアレイ１１６と結像レンズ１１７の位置関係について詳細を説明する。また、マルチレンズアレイ１１６はそのほかの仮想光源面でもよい。【００５３】  効率、及び照明光の均一性を高めるため、マル��レンズアレイ１１６と光源部１１０、集光レンズ１１４を組み合わせた構成を用いているが、その他の面発光する光源を上記の構成の代わりに仮想光源面として用いることもできる。例えば、ＯＬＥＤ（Ｏｒｇａｎｉｃ  Ｅｌｅｃｔｒｏ−Ｌｕｍｉｎｅｓｃｅｎｃｅ）などの平面光源や、レーザー光源と透過性の拡散板を組み合わせたものであってもよい。【００５４】  図６では、マルチレンズアレイ１１６と結像レンズ１１７の位置関係の一例について示す。マルチレンズアレイ１１６が結像レンズ１１７に対して、結像レンズ１１７の前側焦点１１７０ｂよりも離れる方向に位置している。【００５５】  表示器１２０は透過型の映像表示素子を例示しており、例えば透過型の液晶素子を利用することができる。もちろん、反射型の映像表示素子など他の映像表示素子を用いても良い。虚像投射器１３０は、表示器１２０で変調された出射光を受光し、虚像を投射する機能を備えている。【００５６】  マルチレンズアレイ１１６から出射した照明光は、角度を持った光束であるため、結像レンズ１１７に到達するまでに広がる。図６では、結像レンズ１１７とマルチレンズアレイ１１６間の距離を十分にとり、結像レンズ１１７の開口を十分広く照明している様子を示している。マルチレンズアレイ１１６からの照明光は、結像レンズ１１７に入射して後側焦点１１７０ａに結像する。前記の像は、マルチレンズアレイ１１６の入射面に備えられたレンズセル１１６ｉの実像である。レンズセル１１６ｉの実像と表示器１２０とが略一致するように、結像レンズ１１７の後側焦点１１７０ａに略一致して配置されている。前記の構成であれば、マルチレンズアレイ１１６から出射した照明光を、表示器１２０に対して過不足なく効率的に照明できる利点がある。【００５７】  マルチレンズアレイ１１６は結像レンズ１１７に対して、結像レンズ１１７の前側焦点１１７０ｂよりも離れた位置にあるため、結像レンズ１１７から出射した光束は収束する方向に出射する。結像レンズ１１７を通過した光束は、表示器１２０と略同一の位置に結像した後、結像レンズ１１７の光軸に向かう収束する方向に進行する。そのため、光束は効率的に虚像投射器１３０に取り込まれるようになり、損失を抑制した虚像投射装置を提供することができる。また、マルチレンズアレイ１１６、集光レンズ１１４、光源部１１０を小型に配置することができ、小型の虚像投射装置を提供することができる。【００５８】  例えば、マルチレンズアレイ１１６は、レンズセル１１６ｉ及びレンズセル１１６ｏの横方向の周期が０．５０２、縦方向が０．２８３、曲率半径０．５１、厚さ１．２とすれば、横方向で略Ｆ２．４の照明光が得られる。別のＦ値の照明光が必要な場合には、例えばレンズセル１１６ｉ、１１６ｏの形状を変えないとすると、曲率半径及びレンズセル１１６ｉ、レンズセル１１６ｏ間の厚さを、所望のＦ値と略比例させた形状であれば良い。ただし、Ｆ値を大きくするためには、光源からの照明光の制約によって、通過率が低下する傾向にある、そのため、レンズセル１１６ｉ、１１６ｏの大きさを変更して、曲率半径、レンズ間距離を実現しやすい値に調整しても良い。【００５９】  マルチレンズアレイ１１６の有効開口は、Ｆ２．４のとき、例えば、横方向５．４４、縦方向５．５３と略正方形になっていても良い。この形状は、前段の光源部１１０から照明される光の照明範囲の形状に合わせればよく、マルチレンズアレイ１１６が出射する照明光のＦ値によらない。【００６０】  図７では、マルチレンズアレイ１１６と結像レンズ１１７とが近接している構成を示している。マルチレンズアレイ１１６の出射光が結像レンズ１１７で集光され、結像レンズ１１７の後側焦点１１７０ａで結像する。【００６１】  図７の構成の場合、マルチレンズアレイ１１６からの出射光を表示器１２０上で結像して効率的に照明できているが、表示器１２０を通過した光束のうち、斜線部で示した光軸に対して角度がついた側の光束は、虚像投射器１３０に入射できず、映像光として利用することができず損失となる。また、表示器１２０を照明するためには結像レンズ１１７の開口全体を光束で満たさなければならない。図７の構成ではマルチレンズアレイ１１６と結像レンズ１１７が近接しているため、両者は同等の大きさが必要となる。さらに、マルチレンズアレイ１１６の開口全域から光束を出射させるためには、集光レンズ１１４も同等のサイズが必要となる。このように、マルチレンズアレイ１１６と結像レンズ１１７が近接すると、集光レンズ１１４、及び光源部１１０が大きくなり照明部１３が大型化してしまう。【００６２】  図８では、マルチレンズアレイ１１６と結像レンズ１１７の位置関係の変形例を示す。マルチレンズアレイ１１６が、結像レンズ１１７の前側焦点１１７０ｂに略一致している。【００６３】  マルチレンズアレイ１１６から出射した光束は、角度を持った光束であるため、結像レンズ１１７に到達するまでに広がっている。図８では、結像レンズ１１７とマルチレンズアレイ１１６間の距離に対して、マルチレンズアレイ１１６の出射光束が十分に広がっていて、結像レンズ１１７の開口を十分に照明している様子を示している。結像レンズ１１７の前側焦点１１７０ｂとマルチレンズアレイ１１６を略一致させて配置しているため、マルチレンズアレイ１１６の中央から出射した光束、すなわち結像レンズ１１７の前側焦点１１７０ｂから出射した光束は、結像レンズ１１７で集光されコリメート光となって表示器１２０を照明する。また、マルチレンズアレイ１１６の出射開口から出射する光軸に対して角度を持って照明する光束は、表示器１２０上で結像する光束となる。特に、角度を持ってマルチレンズアレイ１１６を出射した照明光は、表示器１２０の法線に対して対称となる角度範囲で到達する。前記の構成であれば、表示器１２０を通過した後の映像光１２も、結像レンズ１１７、及び虚像投射器１３０の光軸に対して対称な広がりを持って進行する。このような映像光１２であれば、虚像投射器１３０がテレセントリック系であっても、表示器１２０を通過した映像光１２を効率的に取り込むことができるため、高効率な光学系を提供できる。【００６４】  なお、テレセントリック光学系で構成されている虚像投射器１３０を利用すると、画面全域で輝度ムラが小さい虚像投射装置を提供できる利点がある。【００６５】  結像レンズ１１７の開口形状に注目すると、図６、図７、図８いずれの構成であっても、結像レンズ１１７の開口は表示器１２０よりも大きくなければならない。前記の構成であれば、表示器１２０を通過した後に、表示器１２０全域から虚像投射器１３０に向かう広がりを持った映像光１２を提供でき、映像における暗部の発生や映像の欠落を抑えた映像を提供できる。【００６６】  結像レンズ１１７は、例えば、曲率半径Ｒ１２．６７６でコーニック係数−５．０６３３６６の非球面を持つ平凸レンズを用いることができる。これは、前記マルチレンズ１１６の照明光に合わせ、また後段に備えているプリズム付き結像レンズ１１８と組み合わせることで、表示器１２０にＦ２．４で照明する光学系を構成できる。【００６７】  以上のように、実施例１の構成であれば、高効率で小型な照明部１３によって照明光を表示器１２０に照明し、高効率にフルカラーで高画質な虚像を生成して投射する投射部１４を組み合わせることで、高効率でありながら小型の虚像投射装置を提供できる。
【実施例２】
【００６８】  図９Ａ、図９Ｂ、図１０では、実施例２における結像レンズ１１７について詳細を説明する。【００６９】  結像レンズ１１７は、マルチレンズアレイ１１６からの出射光を表示器１２０上に結像し、その後段に備えた虚像投射器１３０に有効な光束として映像光を提供する機能が期待される。虚像投射器１３０から出射する映像光１２が、映像全域で十分に明るく表示されるためには、虚像投射器１３０が取り込めるＦ値に対して、表示器１２０からの光束が十分な広がりを持つ必要がある。そのためには、表示器１２０から出射する映像光１２のＦ値を、虚像投射器１３０のＦ値よりも小さくせねばならない。また、表示器１２０を出射した光束は、損失しないように効率よく虚像投射器１３０に取り込まれる必要があるため、表示器１２０の出射光のＦ値を不必要に小さくして虚像投射器１３０に取り込まれない損失光を発生させないようにしたほうが良い。すなわち、虚像投射器１３０と照明光のＦ値を一致させると、集光レンズ１１４から出射した照明光が過不足なくマルチレンズアレイ１１６を通過し、結像レンズ１１７は前記照明光を効率よく通過させて表示器１２０を照明する。表示器１２０で変調された映像光１２のＦ値、すなわち照明光のＦ値が結像レンズ１１７のＦ値と合わせられているときに、損失が抑えられて効率が最も高くなる。【００７０】  また、光学部品のＦ値が一定のとき、焦点距離が長くなれば、有効径が大きくなる関係にある。【００７１】  表示器１２０は、結像レンズ１１７の後側焦点に略一致させて配置させる場合、光学系の小型化を図るためには、結像レンズ１１７の焦点距離を短くすることが望ましい。しかし、焦点距離を短くすると曲率半径が小さくなる。曲率半径が小さくなると収差が発生しやすく、光学性能が低下する傾向にあるため、むやみに焦点距離を短くすることができない。また、結像レンズ１１７は表示器１２０よりも大きくなければならないため、焦点距離を短くして結像レンズ１１７の有効径を小さくするにも限界がある。【００７２】  図９Ａでは、結像レンズ１１７が単レンズである構成を示している。結像レンズ１１７のＦ値が小さい場合には、結像レンズ１１７の開口を大きく、焦点距離を短くしなければならない。単レンズで実現するためには曲率半径が小さくなってしまい、幾何的な制約によって結像レンズ１１７に必要な有効径が得られない場合がある。【００７３】  図９Ｂでは、結像レンズ１１７を、２個の結像レンズ１１７ａ、１１７ｂに分割した構成の一例を示している。ここでは、分割した結像レンズ１１７ａ、１１７ｂの間に空間がある構成を示しているが、それぞれが一体成型されていてもよいし、接着されて構成されていてもよい。【００７４】  分割した結像レンズ１１７ａ、１１７ｂの合成焦点距離が、分割前の結像レンズ１１７の焦点距離と一致させた場合、結像レンズ１１７ａ、１１７ｂの曲率半径を大きくすることができる。曲率半径が大きくなるとレンズのコバ面を確保しやすく、単レンズで結像レンズ１１７を構成するよりも、結像レンズ１１７ａ、１１７ｂの有効径を大きくしやすい。さらに、球面収差も発生しにくくなり、照明光をさらに効率よく表示器１２０に照明することができる。【０���７５】  前記の構成であれば、Ｆ値を一定にする場合、有効径を大きくしたまま焦点距離を縮めて小型化できる。逆に、焦点距離が一定のとき、有効径を大きくして取り込み光を増加させることができる。前記の関係があるため、光学系のデザインの自由度を向上することができる利点がある。【００７６】  虚像投射器１３０のＦ値と一致させると、照明光を表示器１２０の全域に照明した後、虚像投射器１３０が映像光１２を過不足なく投射することができるため、損失を抑えて高効率な光学系を提供できる。【００７７】  図１０では、結像レンズ１１７の別の形態を示している。２個の結像レンズ１１７ａ、１１７ｂに分割し、プリズム１１７ｃを挿入した構成を示している。図１０では、結像レンズ１１７ａ、１１７ｂとプリズム１１７ｃの間に空間がある構成を示しているが、いずれかの組み合わせ、もしくは全てが一体成型されていても良いし、接着されて構成されていても良い。【００７８】  結像レンズ１１７ａ、１１７ｂが空間を挟んで配置され合成レンズを構成している場合、空間にプリズム１１７ｃを挿入すると、プリズム１１７ｃを挿入前の合成レンズの光学性能を維持したまま、結像レンズ１１７ａ、１１７ｂ間を物理的に離すことができる。結像レンズ１１７ａ、１１７ｂの間を物理的に離すことができると、その間に空間的な余裕を生成でき、光学系のデザインの自由度を改善する利点がある。【００７９】  前記の構成で生成された空間的な余裕を活用して、光軸を折り曲げるなどの機能を備えたプリズム１１７ｃと、結像レンズ１１７ａ、１１７ｂの少なくとも１つ以上を一体化し、かつ光軸を折り曲げる反射面を備えたものをプリズム付き結像レンズ１１８として利用できる。【００８０】  以上のように、実施例２の構成であれば、結像レンズ１１７を複数のレンズ面に分割することで曲率半径を大きくできる。これにより取り込み光を増加させ、かつ球面収差を抑えた高効率な照明系を構成し、高効率な虚像投射装置を提供できる。また、プリズム１１７ｃを利用すると、光学系のデザインの自由度を向上した虚像投射装置を提供できる。
【実施例３】
【００８１】  図１１では、実施例３におけるプリズム付き結像レンズ１１８について詳細を説明する。【００８２】  プリズム付き結像レンズ１１８は、入射面１１８ａと、光軸を反射する反射面１１８ｂと、出射面１１８ｃを備えている。プリズム付き結像レンズ１１８は透明体で構成される。例えば、光学プラスチックなど樹脂で構成されている場合には、金型を用いて射出成型が可能である。射出成型では、プリズムとレンズを一体化して製造できる。これに対し、ガラスレンズとガラスプリズムの組み合わせで構成した場合には、ガラスレンズは球面レンズ以外の曲面では製造コストが増大し、プリズムと一体化するためには光学的な貼り合わせる手間が発生する。さらに、全反射する角度を広げるためには屈折率を高めることが有効であるが、高い屈折率のガラスは、同屈折率の樹脂に比べて高価になる傾向がある。したがって、樹脂を用いて一体成型されたプリズム付き結像レンズ１１８を用いると、虚像投射装置の製造コストを低減できる利点がある。【００８３】  図１１に示したプリズム付き結像レンズ１１８は、入射面１１８ａが結像レンズ１１７の光軸に対して傾斜し、出射面１１８ｃには非球面レンズを備えた形状で一体成型されている。別の方法として、安価なガラスプリズムの反射面にミラーコートを施し、別の部材として非球面レンズを併用する方法が考えられる。しかし、プリズム付き結像レンズ１１８を高機能化させようとしたとき、例えば、レンズ面に非球面レンズを用いる場合には、ガラス製の非球面レンズを切削、研磨の工程が高価になり、もしくはガラスモールドで製造する場合には材料の選択肢が少なく高価になる。また、非球面レンズの製造コストに加えて、プリズムと別々の部材となることから、光学性能を得るためにプリズムの張り合わせ面の研磨や、貼り付け位置精度が求められるため製造コストが増大する。一方、樹脂を利用して一体成型する構成であれば、非球面レンズを利用しても、一体成型が可能であるため貼り合わせに必要な工程を省略可能で、射出成型に利用できる材料の選択肢もあり、安価に製造できる利点がある。【００８４】  図１１の場合、結像レンズ１１７は単体で存在しているが、プリズム付き結像レンズ１１８に備えられた出射面１１８ｃのレンズと組み合わせて、合成レンズとして機能する。また、一体成型されるとき、球面レンズに対する非球面レンズの製造コスト増分は金型加工費が大半を占めるため、切削研磨で製造する場合よりも非球面化による製造コスト増分は小さい。したがって、プリズムとレンズを一体化成型することを前提として製造されるプリズム付き結像レンズ１１８では、出射面１１８ｃを非球面レンズとして製造コスト増分を抑え、結像レンズ１１７は比較的製造コストが安い曲面レンズとする。これにより、結像レンズ１１７とプリズム付き結像レンズ１１８の合成レンズとしての光学性能を維持したまま、製造コストを抑えることができる。【００８５】  また、本実施例のプリズム付き結像レンズ１１８は、入射面１１８ａが結像レンズ１１７の光軸に対して傾斜している。傾斜の方向は、結像レンズ１１７の光軸が出射面１１８ｃ側に屈折する方向であり、反射面１１８ｃに対して浅い角度となる光軸を屈折さ��る。前記構成であれば、光束が全反射しやすくなり、ミラーコートをしなくても光束を漏洩させることなく、照明光を効率よく反射できる。【００８６】  入射面１１８ａは、結像レンズ１１７の光軸に対してθ１だけ傾斜している。反射面１１８ｂはプリズム付き結像レンズ１１８の出射光軸に対して、θ２だけ傾斜している。θ１及びθ２は、照明光が伝播するように定められる。最も単純な例として、直角二等辺三角形の断面を持つプリズムを使う例が考えられる。図１１で例えると、θ１＝０°、θ２＝４５°の場合である。しかし、照明光Ｆ値が小さければ、反射面の法線方向に近づいた抜けやすい光束が含まれる場合がある。そこで、θ２を大きくすると、プリズム付き結像レンズ１１８の出射光軸に対して反射面１１８ｂが浅くなり、全反射しやすくなる。出射光軸を入射側にたどると、結像レンズ１１７の光軸に対して傾斜することがわかる。このとき、結像レンズ１１７の光軸と、プリズム付き結像レンズ１１８の出射光軸を直交させようとすると、プリズム付き結像レンズ１１８の入射面１１８ａを傾斜角度θ１が正になるように傾ければよい。このとき、θ１＞０となるため、頂角が９０°よりも小さなプリズムとなる。前記の構成であれば、プリズム付き結像レンズ１１８は入射前と出射後で光軸を９０°折り曲げることができるので、照明部１３と投射部１４を高効率で小型に組み合わせることが可能である。【００８７】  例えば、伝播させる照明光のＦ値が２．４のとき、プリズム付き結像レンズ１１８に屈折率１．６４以上の樹脂を利用し、θ１＝２．５７°、θ２＝４５．５°、となる形状であれば入射光束を漏洩させることなく全反射で出射させることができる。また、曲率半径８．８７９、コーニック係数−１．８２３７９１の非球面レンズとすれば、結像レンズ１１７と組み合わせてＦ２．４で表示器１２０を照明することができる。【００８８】  照明対象となる表示器１２０の形状は、一般的に横と縦の比率が異なる。横と縦の比率が１６：９のとき、表示器１２０に対して過不足なく照明するために、照明光も略１６：９の形状で照明されていることが望ましい。表示器１２０と照明光のずれを許容させるために、例えば５％ほど照明範囲を大きくするなど、若干のマージンを持たせても良い。照明光のサイズは、結像レンズ１１７に入射する照明光のＦ値に依存している。表示器１２０が位置する平面状で、照明範囲が狭ければ発散角度が狭く、照明範囲が広ければ発散角度が大きい関係にある。言い換えると、照明範囲が狭ければＦ値が大きく、広ければＦ値が小さい。すなわち、結像レンズ１１７に入射する照明光は、横方向と縦方向でＦ値を異ならせることで、表示器１２０に過不足なく照明することができ、高効率に照明することができる。【００８９】  表示器１２０の形状の横と縦の比率が１６：９のとき、横方向と縦方向のＦ値の比率は９：１６とすれば、表示器１２０に入射できない照明光の損失を抑えた高効率な照明を実現できる。結像レンズ１１７に入射する照明光は、マルチレンズアレイ１１６からの出射光であり、前記照明光のＦ値の横と縦の比率は、マルチレンズアレイ１１６の入射側に備えられたレンズセル１１６ｉの形状の比率に依存する。レンズセル１１６ｉ��横と縦の比率が１６：９であれば、有効な画面領域の横と縦の比率が１６：９の表示器１２０を過不足なく高効率に照明できる。【００９０】  また、プリズム付き結像レンズ１１８は、表示器１２０の短手方向に光軸を折り曲げる。前記構成にしていれば、表示器１２０、及び虚像投射器１３０の光軸と、結像レンズ１１７の光軸間を短くでき、小型の光学系を提供できる。逆に、表示器１２０の長手方向に折り曲げたとすると、折り曲げるための空間が大きくなってしまうため、虚像投射器１３０の光軸と結像レンズ１１７の距離が長くなるとともに、照明部１３の有効径も大きくなってしまうため、本実施例の構成が望ましい。【００９１】  以上のように、実施例３の構成であれば、プリズム付き結像レンズ１１８が樹脂の一体成型で製造され、非球面レンズとプリズムを貼り合わせる手間を省き、かつ高い屈折率の透明部材を使用し、全反射を利用してミラーコートを省略した、安価なプリズム付き結像レンズ１１８を提供できる。また、結像レンズ１１７は球面レンズに、プリズム付き結像レンズ１１８の出射面１１８ｃのレンズを非球面にすることで、光学性能を維持したまま全体の製造コストを低減することができる。前記の構成であれば、安価で小型な虚像投射装置を提供できる。
【実施例４】
【００９２】  図１２、図１３では、実施例４における表示器１２０の変形例について詳細を説明する。表示器１２０は反射型であって、映像光１２を反射部１１９に反射させて虚像投射器１３０に導く配置構成について説明する、【００９３】  反射型の表示器１２０には、例えばＬＣＯＳを利用できる。ＬＣＯＳは、偏光光を照明光として受け、空間的に偏光を変えて映像光を生成する素子である。図１２では、Ｐ偏光の照明光を透過させるように、反射部１１９には偏光選択性のある、例えばワイヤーグリッドフィルムを利用することができる。別の方法として、プリズムを備えたＰＢＳ（Ｐｏｌａｒｉｓｅｄ  Ｂｅａｍ  Ｓｐｌｉｔｔｅｒ）を利用することもできる。反射部１１９を透過したＰ偏光の照明光は、表示器１２０により映像信号に応じて空間的に偏光が変換され、映像光として必要な光がＳ偏光に変換される。Ｓ偏光の映像光は、偏光選択性を持つ反射部１１９のＳ偏光を反射する性質によって、虚像投射器１３０に導かれる。【００９４】  本構成であれば、図１３に示すように、表示器１２０を照明部１３と反対の方向に配置できる。表示器１２０は、映像光１２を生成する側ではない背面に、電源供給や信号供給をするための回路基板、放熱や保持を目的とした金属板などが備えられている場合がある。本変形例によれば、表示器１２０に付随する回路や保持部１９などと他の光学部品が干渉することを防いだ配置を可能にする。【００９５】  別の変形例として、表示器１２０にＤＭＤ（Ｄｉｇｉｔａｌ  Ｍｉｒｒｏｒ  Ｄｅｖｉｃｅ）を用いても良い。ＤＭＤは、映像画素に相当するマイクロミラーの傾斜がＯＮとＯＦＦを高速に切り替えることで、映像信号に応じた光の濃淡を表現する素子である。偏光に依存しない映像表示素子であるため、反射部１１９は偏光依存性がない反射ミラーを利用することができる。
【実施例５】
【００９６】  図１４では、実施例５における映像光結合部１５の変形例について詳細を説明する。【００９７】  映像光結合部１５は、投射部１４内の虚像投射器１３０が投射する映像光１２を入射させたのち、映像光結合部１５が備える平面で内面反射させ、導光部１１に対して略垂直な方向に映像光１２を出射する。映像光１２が入出射する光軸方向に対して、映像光結合部１５の入射面１５ａと出射面１５ｃがそれぞれの光軸に対して垂直とすれば、映像光結合部１５から出射する映像光１２の全域で色分離を防ぐことができる。映像光結合部１５は、二等辺三角形を断面とする柱形状であれば製造が容易であり製造コストを抑えることができる。映像光結合部１５の反射面１５ｂは、全反射を用いてもよいし、内部を通過する映像光１２が反射面の法線に対して臨界角よりも小さい角度で入射する場合には、漏洩による損失を防ぐためにミラーコートをしても良い。【００９８】  ミラーコートを利用すれば、映像光結合部１５の屈折率で決定される臨界角の制約を受けず、保持部１９のデザインの自由度が向上する利点がある。内面反射で反射して光軸を曲げる角度θｐは、照明部１３及び投射部１４と導光部１１の取り付け角度を決める。折り曲げ角度をθｐにするとき、映像光結合部１５を構成するプリズムの頂角はθｐとすればよい。保持部１９を利用者３の額に沿って配置する場合には、折り曲げ角度θｐを大きく、逆に頭部の側面に沿わせる場合には折り曲げ角度θｐを小さくすれば良い。また、利用者３の頭部と、導光部１１の法線方向と、視線ｅと間に角度をつける場合には、その分折り曲げ角度を調整すれば良い。【００９９】  例えば、導光部１１の法線と投射部１４の取り付け角度が１０°のとき、頂角８０°のプリズムを利用することができる。【０１００】  実施例５によれば、導光部１１を利用者３の目前に配置しながら、保持部１９を頭部に沿わせるように配置でき、利用者３にとって装着を容易にする虚像投射装置を提供できる。【０１０１】  以上、本発明の各実施例を説明したが、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。【０１０２】  また各実施例では、両眼式ヘッドマウントディスプレイ（ＨＭＤ）を取り上げて説明したが、これに限らず、虚像を表示する虚像投射装置であれば本発明の範囲に含まれる。
【符号の説明】
【０１０３】  １：ＨＭＤ、３：利用者、１０：映像表示部、１１：導光部、１２：映像光、１３：照明部、１４：投射部、１５：映像光結合部、１９：保持部、１１０：光源部、１１４：集光レンズ、１１５：色合成部、１１６：マルチレンズアレイ、１１７：結像レンズ、１１８：プリズム付き結像レンズ、１１９：反射部、１２０：表示器、１３０：虚像投射器、１１４０：光軸。
【図１Ａ】
2019107044.tif 000003
【図１Ｂ】
2019107044.tif 000004
【図１Ｃ】
2019107044.tif 000005
【図２】
2019107044.tif 000006
【図３Ａ】
2019107044.tif 000007
【図３Ｂ】
2019107044.tif 000008
【図４】
2019107044.tif 000009
【図５】
2019107044.tif 000010
【図６】
2019107044.tif 000011
【図７】
2019107044.tif 000012
【図８】
2019107044.tif 000013
【図９Ａ】
2019107044.tif 000014
【図９Ｂ】
2019107044.tif 000015
【図１０】
2019107044.tif 000016
【図１１】
2019107044.tif 000017
【図１２】
2019107044.tif 000018
【図１３】
2019107044.tif 000019
【図１４】
2019107044.tif 000020
【手続補正書】
【提出日】令和2年2月28日(2020.2.28)
【手続補正１】
【補正対象書類名】明細書
【補正対象項目名】００３１
【補正方法】変更
【補正の内容】
【００３１】
図３Ａと図３Ｂは、映像表示部１０の構成例を示す図であり、図３Ａは正面図、図３Ｂは上面図を示す。映像表示部１０にカラー映像を提供させるため、光源部１１０は３色に発光するために光源部１１０Ｇ、光源部１１０ＲＢを備えている。
【手続補正２】
【補正対象書類名】明細書
【補正対象項目名】００６６
【補正方法】変更
【補正の内容】
【００６６】
結像レンズ１１７は、例えば、曲率半径Ｒ１２．６７６でコーニック係数−５．０６３３６６の非球面を持つ平凸レンズを用いることができる。これは、前記マルチレンズアレイ１１６の照明光に合わせ、また後段に備えているプリズム付き結像レンズ１１８と組み合わせることで、表示器１２０にＦ２．４で照明する光学系を構成できる。
【手続補正３】
【補正対象書類名】明細書
【補正対象項目名】００８５
【補正方法】変更
【補正の内容】
【００８５】
また、本実施例のプリズム付き結像レンズ１１８は、入射面１１８ａが結像レンズ１１７の光軸に対して傾斜している。傾斜の方向は、結像レンズ１１７の光軸が出射面１１８ｃ側に屈折する方向であり、反射面１１８ｂに対して浅い角度となる光軸を屈折させる。前記構成であれば、光束が全反射しやすくなり、ミラーコートをしなくても光束を漏洩させることなく、照明光を効率よく反射できる。
【手続補正４】
【補正対象書類名】明細書
【補正対象項目名】００８８
【補正方法】変更
【補正の内容】
【００８８】
照明対象となる表示器１２０の形状は、一般的に横と縦の比率が異なる。横と縦の比率が１６：９のとき、表示器１２０に対して過不足なく照明するために、照明光も略１６：９の形状で照明されていることが望ましい。表示器１２０と照明光のずれを許容させるために、例えば５％ほど照明範囲を大きくするなど、若干のマージンを持たせても良い。照明光のサイズは、結像レンズ１１７に入射する照明光のＦ値に依存している。表示器１２０が位置する平面上で、照明範囲が狭ければ発散角度が狭く、照明範囲が広ければ発散角度が大きい関係にある。言い換えると、照明範囲が狭ければＦ値が大きく、広ければＦ値が小さい。すなわち、結像レンズ１１７に入射する照明光は、横方向と縦方向でＦ値を異ならせることで、表示器１２０に過不足なく照明することができ、高効率に照明することができる。
【手続補正５】
【補正対象書類名】明細書
【補正対象項目名】００９３
【補正方法】変更
【補正の内容】
【００９３】
反射型の表示器１２０には、例えばＬＣＯＳを利用できる。ＬＣＯＳは、偏光光を照明光として受け、空間的に偏光を変えて映像光を生成する素子である。図１２では、Ｐ偏光の照明光を透過させるように、反射部１１９には偏光選択性のある、例えばワイヤーグリッドフィルムを利用することができる。別の方法として、プリズムを備えたＰＢＳ（Ｐｏｌａｒｉｚｅｄ  Ｂｅａｍ  Ｓｐｌｉｔｔｅｒ）を利用することもできる。反射部１１９を透過したＰ偏光の照明光は、表示器１２０により映像信号に応じて空間的に偏光が変換され、映像光として必要な光がＳ偏光に変換される。Ｓ偏光の映像光は、偏光選択性を持つ反射部１１９のＳ偏光を反射する性質によって、虚像投射器１３０に導かれる。
【国際調査報告】
2019107044.tif 000021
2019107044.tif 000022
2019107044.tif 000023
2019107044.tif 000024